(57)【特許請求の範囲】
【請求項１】
扉の自由側端縁部の両面に配設される内外一対のエスカチオンの構造であって、
外側エスカチオンの内面に突設され、前記扉を貫通する挿着杆と、
該挿着杆の先端外周面に形成され、先端から軸線方向に沿って形成されるとともに中途で周方向に屈曲する溝と、
前記挿着杆と同軸線上に位置し、該挿着杆の軸線を中心に回動自在となって内側エスカチオンに設けられるとともに、前記挿着杆の先端が嵌入する筒状凹部を一端に有する係合軸と、
該係合軸の筒状凹部内周面に突設され、前記溝に嵌入する凸部と、
前記係合軸の他端に設けられ、前記内側エスカチオンの表面に表出する操作部と、
を具備することを特徴とするエスカチオンの構造。
【発明の詳細な説明】
【０００１】
【発明の属する技術分野】
本発明は、扉の自由側端縁部の両面に配設され、ドアノブやレバーハンドルなどの座金となるエスカチオンの構造に関するものである。
【０００２】
【従来の技術】
扉の自由側端縁部に配設されるドアノブやレバーハンドルなど把手部材や、カギ穴等の周囲には、扉内部の錠機構などの機構部分を覆い隠し、意匠性などを備えた座金部材であるエスカチオンが扉の内外両面に設けられる。
このエスカチオンは、扉の両面となる屋外側および屋内側にそれぞれ設けられ、その取付構造としては、一般的に、ネジなどの固定部材が用いられる。すなわち、屋外側の外側エスカチオンの内面に突設される軸状の螺着部に、屋内側の内側エスカチオン表面から、この内側エスカチオンを貫通してネジを螺着させ、互いを固定させていた。
【０００３】
【発明が解決しようとする課題】
このような取付構造とされたエスカチオンにおいて、その取付作業は、ネジを螺着させる作業であり、エスカチオンとは別部材であるネジを必要とするとともに、ドライバーなどの工具を必要とすることから煩雑なものであり、容易に取り付けの作業が行えることが望まれていた。
また、扉内部の錠機構等に対し、交換やメンテナンスなどを行う場合や、エスカチオンが破損したり、また扉やノブ，ハンドルとの意匠性を変更させる場合などには、扉よりエスカチオンを取り外すこととなるが、上述のようにネジによる取付構造では、その作業性が悪く、容易に交換作業等が行えないという欠点がある。
【０００４】
そこで本発明は、上記問題点を解消するために、扉に取り付けられるエスカチオンの取付作業を容易で簡便なものとすることを目的とするとともに、このエスカチオンを扉から取り外す際にも、容易に作業を行うことができ、その作業性を向上させることができるエスカチオンの構造を提供することを目的としている。
【０００５】
【課題を解決するための手段】
次に、上記の課題を解決するための手段を、実施の形態に対応する図面を参照して説明する。
この発明の請求項１記載のエスカチオンの構造は、扉の自由側端縁部の両面に配設される内外一対のエスカチオンの構造であって、
外側エスカチオン９の内面に突設され、前記扉１を貫通する挿着杆７７と、
該挿着杆７７の先端外周面に形成され、先端から軸線方向に沿って形成されるとともに中途で周方向に屈曲する溝８１と、
前記挿着杆７７と同軸線上に位置し、該挿着杆７７の軸線を中心に回動自在となって内側エスカチオン７に設けられるとともに、前記挿着杆７７の先端が嵌入する筒状凹部９３を一端に有する係合軸９１と、
該係合軸９１の筒状凹部９３内周面に突設され、前記溝８１に嵌入する凸部９７と、
前記係合軸９１の他端に設けられ、前記内側エスカチオン７の表面７ａに表出する操作部９５と、
を具備することを特徴とする。
【０００６】
このエスカチオンの構造によれば、外側エスカチオン９と内側エスカチオン７とを扉１に対して、その屋内側および屋外側より互いに当接状態へと作業することで、外側エスカチオン９の挿着杆７７が、その先端の外周面に形成される溝８１と、内側エスカチオン７内面に設けられる筒状凹部９３内の凸部９７とで係合し、これら取り付けが完了することとなり、従来のようなネジなどの別部材を用いることなく、簡便にその取付作業を終えることが可能となる。また、これら内外エスカチオン７，９の交換などの際に、これらエスカチオン７，９を扉１より取り外すには、操作部９５を回転操作することで挿着杆７７に対する凸部９７の係合状態を解除でき、容易に内外エスカチオン７，９を扉１より取り外すことができ、その作業性が向上することとなる。
【０００７】
なお、上記エスカチオンの構造は、扉の自由側端縁部の両面に配設される内外一対のエスカチオンの構造であって、
外側エスカチオン９の内面に突設され、前記扉１を貫通するとともに、先端に筒状凹部９３が形成される挿着杆７７と、
前記挿着杆７７と同軸線上に位置し、該挿着杆７７の軸線を中心に回動自在となって内側エスカチオン７に設けられるとともに、一端が前記筒状凹部９３に嵌入する係合軸９１と、
前記係合軸９１の外周面に形成され、一端から軸線方向に沿って形成されるとともに中途で周方向に屈曲する溝８１と、
前記挿着杆７７の筒状凹部９３内周面に突設され、前記溝８１に嵌入する凸部９７と、
前記係合軸９１の他端に設けられ、前記内側エスカチオン７の表面７ａに表出する操作部９５と、
を具備する構成としてもよい。
【０００８】
このエスカチオンの構造によれば、外側エスカチオンと内側エスカチオンとを扉に対して、その屋内側および屋外側より互いに当接状態へと作業することで、外側エスカチオンの挿着杆が、その先端係合部の外周面に形成される溝と、内側エスカチオン内面に設けられる筒状凹部内の凸部とで係合し、これら取り付けが完了することとなり、従来のようなネジなどの別部材を用いることなく、簡便にその取付作業を終えることが可能となる。また、これら内外エスカチオンの交換などの際に、これらエスカチオンを扉より取り外すには、操作部を回転操作することで挿着杆に対する凸部の係合状態を解除でき、容易に内外エスカチオンを扉より取り外すことができ、その作業性が向上することとなる。
【０００９】
また、上記エスカチオンの構造は、扉の自由側端縁部の両面に配設される内外一対のエスカチオンの構造であって、
外側エスカチオン９の内面に突設され、前記扉１内に挿通される固定筒１０５と、
内側エスカチオン７の内面に突設され、前記扉１内に挿通されるとともに、前記固定筒１０５と同軸線上に配置されるガイド筒１１５と、
該ガイド筒１１５に挿着されて設けられ、軸線方向に沿って摺動自在に配設されるとともに、該ガイド筒１１５内にて軸線を中心に回動自在な連結軸１１７と、
該連結軸１１７の先端１１８に配設され、該連結軸１１７の軸線に対し略直交方向に突出する係合突起１１９と、
前記固定筒１０５内に設けられ、前記連結軸１１７の先端１１８および係合突起１１９のみが前記連結軸１１７の軸線方向と同方向に貫通可能な貫通穴１０９を備えた係止環部１０７と、
前記連結軸１１７を内側エスカチオン７の表面方向へ付勢する付勢手段１２７と、
前記連結軸１１７の基端に設けられ、前記内側エスカチオン７を貫通し、該内側エスカチオン７の表面７ａに表出する操作部１２１と、
を具備する構成としてもよい。
【００１０】
このエスカチオンの構造によれば、外側エスカチオン９と内側エスカチオン７とを扉１に対して、その屋内側および屋外側より互いに当接状態へと作業し、そして、操作部１２１を介して連結軸１１７を軸線方向に押圧し回動させることで、内側エスカチオン７側の連結軸先端１１８の係合突起１１９と、外側エスカチオン９側の係止環部１０７とが係合し、これら取り付けが完了することとなり、従来のようなネジなどの別部材を用いることなく、簡便にその取付作業を終えることが可能となる。また、これら内外エスカチオン７，９の交換などの際に、これらエスカチオン７，９を扉１より取り外すには、操作部１２１を押圧して回転操作することで係合突起１１９と係止環部１０７との係合状態を解除でき、容易に内外エスカチオン７，９を扉１より取り外すことができ、その作業性が向上することとなる。
【００１１】
【発明の実施の形態】
次に、本発明のエスカチオンの構造を、各実施の形態毎に説明する。
なお、以下に説明する各実施の形態において、扉１に配設されるドアノブやハンドルレバーなどの把手部材３の軸部５には、エスカチオンの表面に当接する段部５ａを備えており、すなわち、この軸部５に形成される大径段部５ａにより内外エスカチオン７，９が挟持され、各実施の形態においては、両エスカチオン７，９の下部を挟持し取付状態が保持される。
【００１２】
第１の実施の形態
図１は本発明によるエスカチオンの構造の第１の実施の形態を示す側断面図、図２は、同エスカチオンの構造の内側エスカチオンの正面図、図３は、同エスカチオンの構造の要部を拡大した断面図である。
【００１３】
本実施の形態のエスカチオンの構造は、扉１の屋外側に配設される外側エスカチオン９と、屋内側に配設される内側エスカチオン７と、これら内外エスカチオン７，９を連結する係合手段とで大略構成される。
【００１４】
外側エスカチオン９は、略矩形板状に形成されるとともに、扉面１ａに対向する内面に空間を備え、すなわち一面が開口する略箱状に形成され、下半部中央に貫通穴１３を有している。また、この外側エスカチオン９の内面には、上部に挿着杆１５が突設され、貫通穴１３の下部に支持脚１７が突設される。
【００１５】
貫通穴１３は、環状支持部１９が内面側に設けられ筒状に形成される。そして、扉１に設けられる把手部材３の軸部５が貫通する。
挿着杆１５は、その突出長さが、扉１を貫通する長さに設定される。挿着杆１５の先端は、やや細径に形成され、係合手段の一部を構成する係合部２１とされる。
また、支持脚１７の突出長さは、扉１の厚さの約１／２の長さに設定される。
【００１６】
内側エスカチオン７は、上記外側エスカチオン９と略同等の外形とされ、すなわち、略矩形板状に形成されるとともに、扉面１ｂに対向する内面に空間を備え、一面が開口する略箱状に形成され、下半部中央に貫通穴２３を有しているとともに、表面における上方にやや上下に長い長穴形状の操作穴２５が貫通形成されている。
【００１７】
貫通穴２３は、上記外側エスカチオン９と同等とされ、環状支持部２７が内面側に設けられ筒状に形成される。そして、扉に設けられる把手部材３の軸部５が貫通する。
この内側エスカチオン７の内面空間には、上部に方形箱状の空間部２９が設けられ、貫通穴２３下部に支持脚３１が突設される。支持脚３１の突出長さは、上記外側エスカチオン９の支持脚１７と同等で扉１の厚さの約１／２の長さに設定される。
【００１８】
空間部２９には、外側エスカチオン７に突設される挿着杆１５の係合部２１が挿通される支持穴３５が穿設される。またこの空間部２９内には、係合手段を構成する揺動片３７と付勢手段３９が配置される。
【００１９】
揺動片３７は、略矩形板状に形成され、下縁に支持軸４１を備え、空間部２９内にて上端が揺動端となって揺動自在に設けられる。また、この揺動片３７には、略中央に係合穴４３が穿設される。係合穴４３は、挿着杆１５の係合部２１外径と略同等となる内径に形成され、この係合部２１が挿通可能となっている。
【００２０】
付勢手段３９は、揺動片３７の上端近傍に設けられる。この付勢手段３９は、圧縮コイルバネなどよりなり、揺動片３７を空間部２９内において支持穴３５の方向に付勢する。
【００２１】
また揺動片３７には、制御片４５が突設される。この制御片４５は本実施の形態では、係合穴４３の上部に位置し、略ピン状に形成されている。制御片４５の先端は、内側エスカチオン７の表面に穿設される操作穴２５を貫通し、内側エスカチオン７の表面７ａより突出する。
なお、内外各エスカチオン７，９の表面７ａ，９ａは、化粧板などが被覆される。
【００２２】
従って上記のように構成されたエスカチオンの構造の扉１への組付手順では、予め扉１の所定の位置に穿設される把手部材用の取付穴、内外エスカチオンの支持脚用の下部挿通穴、および挿着杆が貫通する上部挿通穴に対応させて、扉１の屋内側に内側エスカチオン７を配置し、また、扉１の屋外側に外側エスカチオン９を配置して、すなわち、把手部材用の取付穴には各貫通穴１３，２３を位置させ、下部挿通穴には各支持脚１７，３１を、上部挿通穴には挿着杆１５を位置させて、互いを扉１に対して押圧させるように取り付ける（図４参照）。
【００２３】
扉１を貫通する挿着杆１５は、その先端の係合部２１が屋内側扉面１ｂに位置する内側エスカチオン７の支持穴３５を貫通し、揺動片３７の係合穴４３に挿入される。揺動片３７は、係合部２１の軸線方向の移動に伴い、コイルバネ３９の付勢力に抗して揺動し、これにより係合穴４３内に係合部２１が進入する。このとき、揺動片３７は係合穴４３と係合部２１との摺接移動により、その摺接移動方向である軸線方向に対して直交する略垂直な状態となり、係合穴４３内周面と係合部２１外周面との摩擦が少ない状態となって係合部２１の進入が行われる（図５参照）。
【００２４】
そして、内側および外側の各エスカチオン７，９が、扉面１ａ，１ｂに当接状態とされると、係合穴４３と係合部２１との摺接移動が停止することから、コイルバネ３９の付勢力により揺動片３７が支持穴３５の方向に揺動される。なお、内側エスカチオン７の表面７ａより制御片４５が突出している場合には、この制御片４５を押圧することとする。
これにより、挿着杆１５先端の係合部２１外周面と揺動片３７の係合穴４３内周面とが圧着状態となり、すなわち係合部２１外周面に対し係合穴４３内周面が噛み合い、互いに係合状態となって抜脱不能状態となる（図３参照）。
【００２５】
また、扉１の内部においては、内外各エスカチオン７，９の支持脚１７，３１の先端同士が近接若しくは当接する。
その後レバーハンドルなどの把手部材３を両エスカチオン７，９の各表面側から取り付けることで、この把手部材３の軸部５に形成される大径段部５ａが各エスカチオン７，９の表面に当接することとなり、両エスカチオン７，９の下半部が大径段部５ａにて挟持されることとなり、内外各エスカチオン７，９の取り付けが完了する。
【００２６】
これらエスカチオン７，９を扉１から取り外すには、まず、把手部材３を扉から取り外し、挟持状態を解除する。次に、内側エスカチオン７の操作穴２５より覗いている制御片４５を下方向に操作する（図３中二点鎖線）。これにより、揺動片３７がコイルバネ３９の付勢力に抗して揺動され、揺動片３７と係合部２１との圧着係合状態が解除される。そして、この状態で内側エスカチオン７、或いは外側エスカチオン９を扉面より離脱させることで、揺動片３７の係合穴４３から挿着杆１５の係合部２１が抜脱され、扉１から各エスカチオン７，９が取り外せることとなる。
【００２７】
このように構成されたエスカチオンの構造によれば、外側エスカチオン９と内側エスカチオン７とを扉１に対して、その屋内側および屋外側より互いに当接状態へと作業することで、外側エスカチオン９の挿着杆１５が揺動片３７に圧着係合し、これら取付が完了することとなり、従来のようなネジなどの別部材を用いることなく、簡便にその取付作業を終えることが可能となる。
【００２８】
また、これら内外エスカチオン７，９の交換などの際に、これらエスカチオン７，９を扉１より取り外すには、制御片４５を操作することで挿着杆１５に対する係合穴４３の圧着状態を解除でき、容易に内外エスカチオン７，９を扉１より取り外すことができ、その作業性が向上することとなる。
【００２９】
なお、上述した実施の形態では、内側エスカチオン７の表面より操作穴２５を介して制御片４５が突出する構成とされる例について示したが、この制御片４５を短尺に形成し内側エスカチオン７の表面７ａより突出しない構成、例えば、図６に示すように、制御片４５を短尺に形成するとともに、先端を屈曲形成し、その先端が内側エスカチオン７の空間部２９内に位置する構成としてもよい。この場合、内側エスカチオン７には、小径な操作穴２５が視認されるのみで制御片４５は表出せず、エスカチオン７および扉１全体としての意匠性を向上させることが可能となる。そして、この制御片４５を用い、揺動片３７を支持穴３５の方向に揺動させる場合には、別途用意するピン４７などの工具を用いて、内側エスカチオン７の表面７ａより、操作穴２５を介して押し入れ、制御片４５を押圧し揺動片３７を揺動させて係合部２１と係合穴４３との圧着係合を行う。また、これら係合部２１と係合穴４３との圧着係合状態を解除させるには、操作穴２５を介して鉤爪などを有したピンや、くさび状の工具を挿入し用いることで、制御片４５を下方に操作し揺動片３７を揺動させることで可能となる。
【００３０】
第２の実施の形態
次に、本発明のエスカチオンの構造の第２の実施の形態について説明する。
図７は、本発明のエスカチオンの構造の第２の実施の形態を示す側断面図、図８は、同エスカチオンの構造の内側エスカチオンの正面図、図９は、同エスカチオンの構造の要部を拡大した断面図である。
なお、以下に説明する実施の形態において、上述した第１の実施の形態と同一または同等部分には同一符号を付して示し、説明を省略する。
【００３１】
この第２の実施の形態では、外側エスカチオン９の内面に突設される挿着杆５１の先端外周面に鉤状爪部５３が形成される。この鉤状爪部５３は、本実施の形態では、図１１に示すように、挿着杆５１の外周面における下面に位置し、複数が連続して略鋸歯状となって形成される。
【００３２】
また、内側エスカチオン７には、上半部の内面空間部に、取付筒部５５が形成される。この取付筒部５５は、表面に穿設される操作穴２５に対応した位置とされ、内周面５７にスプラインが形成されるとともに、周方向に沿って係合凸部５９が設けられる。
【００３３】
この取付筒部５５には、挿着環６１が取り付けられる。挿着環６１は、図１０に示すように、略筒状に形成され、その外径は取付筒部５５の内径と同等とされ、その外周面６３には、スプラインが形成されており、また、内径は、挿着杆５１の先端外径と同等に形成される。また、挿着環６１は、一端に半径方向外側に向く係止爪６５が複数設けられている。そして、この挿着環６１は、取付筒部５５の内部に、互いのスプラインにより相対回転不能に取り付けられるとともに、一端の各係止爪６５を係合凸部５９に係合させ取り付けられる。
【００３４】
また、この挿着環６１の下面となる側壁の一部は、図１０に示すように、挿着環６１の側壁に片持ち状に設けられ略舌片状に形成される揺動板６７が形成される。
この揺動板６７は、挿着環６１の一端側が揺動端とされ、一端側に延びる先端が内側エスカチオン７の操作穴２５より突出しており、この先端を操作片６９としている。
【００３５】
揺動板６７の挿着環６１の内周面となる一方の面には係合爪７１が形成される（図１１参照）。
この係合爪７１は、上記鉤状爪部５３と同様に複数が連続して略鋸歯状に形成される構成としてもよく、あるいは単数で構成してもよい。そして、これら係合爪７１と鉤状爪部５３とが互いに噛み合うこととなる。
【００３６】
従って  上記のように構成されたエスカチオンの構造の扉１への組付手順では、予め扉の所定の位置に穿設される把手部材用の取付穴、内外エスカチオンの支持脚用の下部挿通穴、および挿着杆５１が貫通する上部挿通穴に対応させて、扉の屋内側に内側エスカチオン７を配置し、また、扉の屋外側に外側エスカチオン９を配置して、すなわち、把手部材用の取付穴には各貫通穴１３，２３を位置させ、下部挿通穴には各支持脚１７，３１を、上部挿通穴には挿着杆５１を位置させて、互いを扉１に対して押圧させるように取り付ける。
【００３７】
扉１を貫通する挿着杆５１は、その先端が屋内側扉面１ｂに位置する内側エスカチオン７内面の挿着環６１に嵌入する。そして、嵌入される挿着杆５１先端は、その外周面の鉤状爪部５３が、挿着環６１の係合爪７１に係合し、すなわち互いが噛み合うこととなる。これにより、挿着杆５１は内側エスカチオン７に対して抜脱不能となって、内外エスカチオン７，９が扉１に取り付けられることなる。
【００３８】
また、扉１の内部においては、内外各エスカチオン７，９の支持脚１７，３１の先端同士が近接あるいは当接する。その後レバーハンドルなどの把手部材３を両エスカチオン７，９の各表面側から取り付けることで、この把手部材３の軸部５に形成される大径段部５ａが各エスカチオン７，９の表面に当接することとなり、両エスカチオン７，９の下半部が大径段部５ａにて挟持されることとなり、内外各エスカチオン７，９の取り付けが完了する。
【００３９】
次に、これら内外エスカチオン７，９を扉１から取り外すには、まず、把手部材３を扉１から取り外し、挟持状態を解除する。次に、内側エスカチオン７の操作穴２５より突出している操作片６９を下方向に操作する（図１２参照）。これにより、片持ち状の揺動板６７が弾性変形を起こして揺動され、係合爪７１と鉤状爪部５３との噛合係合状態が解除される。そして、この状態で内側エスカチオン７、或いは外側エスカチオン９を扉面１ａ，１ｂより離脱させることで、挿着環６１から挿着杆５１先端が抜脱され、扉１から各エスカチオン７，９が取り外せることとなる。
【００４０】
このように構成されたエスカチオンの構造によれば、外側エスカチオン９と内側エスカチオン７とを扉１に対して、その屋内側および屋外側より互いに当接状態へと作業することで、外側エスカチオン９の挿着杆５１が、その外周面に形成される鉤状爪部５３と、内側エスカチオン７内面側に設けられる係合爪７１とで噛合し、これら取り付けが完了することとなり、従来のようなネジなどの別部材を用いることなく、簡便にその取付作業を終えることが可能となる。
【００４１】
また、これら内外エスカチオン７，９の交換などの際に、これらエスカチオン７，９を扉１より取り外すには、操作片６９を操作することで挿着杆５１に対する係合爪７１の噛合状態を解除でき、容易に内外エスカチオン７，９を扉より取り外すことができ、その作業性が向上することとなる。
【００４２】
なお、上述した実施の形態では、内側エスカチオン７の表面より操作穴２５を介して操作片６９が突出する構成とされる例について示したが、この操作片６９を短尺に形成し内側エスカチオン７の表面７ａより突出しない構成、例えば、図１３に示すように、操作片６９を短尺に形成して、その先端が内側エスカチオン７の空間部内に位置する構成としてもよい。この場合、操作片６９を操作する際には、操作穴２５から内側エスカチオン７内部へ、先端がくさび状の工具やピンなどを使用して挿入し、操作片６９を下方に操作し、係合爪７１と鉤状爪部５３との噛合状態を解除すること構成とすればよい。
【００４３】
また、上述した実施の形態では、内側エスカチオン７に係合爪７１を設け、この係合爪７１が操作穴２５より操作片６９を介して操作されることで、挿着杆５１の鉤状爪部５３との噛合状態を解除する構成の例について説明したが、図１４，図１５に示すように、挿着杆５１の先端に、上記挿着環６１の揺動板６７と略同様な揺動片７３を外周面の一部に形成し、その外面となる下面に鉤状爪部５３を形成して、内側エスカチオン７側には内周面に係合爪７１を備えた筒状の挿着環６１を設け、この挿着環６１に対し挿着杆５１の先端を嵌入させることで、挿着環６１内の係合爪７１と鉤状爪部５３とを互いに噛合状態とする構成としてもよく、この場合、操作穴２５より挿着杆５１の揺動片７３先端の操作片６９を上方に操作し、鉤状爪部５３の係合爪７１との噛合状態を解除することで、内外エスカチオン７，９の扉１からの取り外しが行えることとなる。
【００４４】
第３の実施の形態
次に、本発明のエスカチオンの構造の第３の実施の形態について説明する。
図１６は、本発明のエスカチオンの構造の第３の実施の形態を示す側断面図、図１７は、同エスカチオンの構造の内側エスカチオンの正面図、図１８は、同エスカチオンの構造の要部を拡大した断面図である。
なお、以下に説明する実施の形態において、上述した第１，第２の実施の形態と同一または同等部分には同一符号を付して示し、説明を省略する。
【００４５】
この第３の実施の形態では、外側エスカチオン９の内面に突設される挿着杆７７の先端にやや細径に形成される係合部７９を備え、その外周面に溝８１が形成される。この溝８１は、本実施の形態では、図１９に示すように、係合部８１の外周面における先端から軸線方向に沿って形成されるとともに、中途で周方向に屈曲し略螺旋状に形成され、また外周面における軸芯に対して対称位置となる上下２カ所にそれぞれ形成される。
【００４６】
また、内側エスカチオン７には、上半部の内面空間部に、取付筒部８３が形成される。この取付筒部８３は、表面７ａに開口しており、内周面に段部８５を介して小径部８７と大径部８９とが形成され、表面側を大径部８９とし、内面側への奥方が小径部８７とされる。
【００４７】
この取付筒部８３には、係合軸９１が取り付けられる。係合軸９１は、一端が筒状に形成されて筒状凹部９３とされ、その内径は挿着杆７７の係合部７９の外径と同等とされる。また係合軸９１の外径は、取付筒部８３の小径部８７内径と略同等に形成される。
【００４８】
係合軸９１の他端は、外周部分がフランジ状に形成されてやや大径に形成される。この他端の外径は取付筒部８３の大径部８９内径と略同等とされる。また、この係合軸９１の他端は、内側エスカチオン７の表面７ａと面一とされて、このエスカチオン表面７ａに表出し、操作部９５とされる。本実施の形態では、操作部９５として、真直な凹溝より構成される。
【００４９】
また、係合軸９１の筒状凹部９３には、図１９，２０に示すように、端縁近傍における内周面に凸部９７が突設される。この凸部９７は、本実施の形態では、内周面における対向位置に対となって設けられる。各凸部９７は、挿着杆７７の係合部７９に形成される一対の溝８１に対応し、係合部７９が筒状凹部９３内に嵌入される際に、これら溝８１内に係合部７９先端から進入する。
【００５０】
そして、係合軸９１は、取付筒部８３に嵌入され回動自在に取り付けられるが、図１８に示すように、係合軸９１の一端外周面にはＣリングやＥリングなどの規制部材９９が装着され、取付筒部８３から内側エスカチオン表面７ａ方向への抜脱を規制し、また、係合軸９１の外周面に圧縮コイルスプリング１０１が巻装されて、取付筒部８３の大径部８９内に配置させ、取付筒部８３の段部８５と係合軸９１のフランジ状大径部との間に圧縮されて介設されており、すなわち係合軸９１の取付筒部８３奥方への移動が可能となっている。
【００５１】
従って、上記のように構成されたエスカチオンの構造の扉１への組付手順では、予め扉１の所定の位置に穿設される把手部材用の取付穴、内外エスカチオンの支持脚用の下部挿通穴、および挿着杆が貫通する上部挿通穴に対応させて、扉の屋内側に内側エスカチオンを配置し、また、扉の屋外側に外側エスカチオンを配置して、すなわち、把手部材用の取付穴には各貫通穴１３，２３を位置させ、下部挿通穴には各支持脚１７，３１を、上部挿通穴には挿着杆７７を位置させて、互いを扉１に対して押圧させるように取り付ける。
【００５２】
扉１を貫通する挿着杆７７は、図２０に示すように、その先端の係合部７９が屋内側扉面１ｂに位置する内側エスカチオン７内面の係合軸９１の筒状凹部９３に嵌入する。嵌入される際、係合部７９外周面の各溝８１に係合軸９１の各凸部９７が進入し、挿着杆７７の内側エスカチオン７方向への移動に伴い、各凸部９７は各溝８１に沿って案内され、これにより係合軸９１は取付筒部８３に対し、回動することとなり、各凸部９７が各溝８１の後端へと移動する。本実施の形態では、係合軸９１が約９０°回転することで溝８１の後端に凸部９７が位置することとなる。これにより、係合部７９と筒状凹部９３とは、溝８１と凸部９７との係合により、軸線方向の移動が規制され、挿着杆７７が内側エスカチオン７に対して抜脱不能となり、内外エスカチオン７，９が扉１に取り付けられることなる。
【００５３】
また、扉１の内部においては、内外各エスカチオン７，９の支持脚１７，３１の先端同士が近接あるいは当接する。その後レバーハンドルなどの把手部材３を両エスカチオン７，９の各表面７ａ，９ａ側から取り付けることで、この把手部材３の軸部５に形成される大径段部５ａが各エスカチオン７，９の表面７ａ，９ａに当接することとなり、両エスカチオン７，９の下半部が大径段部５ａにて挟持されることとなり、内外各エスカチオン７，９の取り付けが完了する。
【００５４】
次に、これら内外エスカチオン７，９を扉１から取り外すには、まず、把手部材３を扉１から取り外し、挟持状態を解除する。次に、内側エスカチオン７の操作部９５に対し、マイナスドライバーなどの工具等を用いて回動操作を行う。これにより、係合軸９１が回動することとなり、係合軸９１の筒状凹部９３内の各凸部９７が、溝８１に沿って移動し、この溝８１の成形形状により、係合部７９を係合軸９１から後退させる方向へと動作して、すなわち挿着杆７７が内側エスカチオン７から離脱する方向へと移動する。これにより挿着杆７７は内側エスカチオン７側との係合状態を解かれ、内外両エスカチオン７，９は、扉１から取り外されることとなる。
【００５５】
なお、係合軸９１には圧縮コイルスプリング１０１を介設していることから、マイナスドライバーなどの工具を用いて操作部９５を回動操作する以前に、操作部９５とともに係合軸９１を内方向（扉１の方向）へと押し込むことで、互いに係合している係合軸９１と挿着杆７７とが、軸線方向に移動することとなり、外側エスカチオン９が扉面１０から浮くこととなり、その浮いた状態を保持すると、圧縮コイルスプリング１０１の付勢力が係合軸９１に対して軸線方向に働き、これにより、筒状凹部９３の凸部９７が、係合部７９の溝８１に沿って、この溝８１の先端方向に移動を行うこととなり、係合軸９１の位置復帰とともに、挿着杆７７との係合状態を解くこととなる。そして、内外エスカチオン７，９が扉１より取り外せることとなる。
【００５６】
このように構成されたエスカチオンの構造によれば、外側エスカチオン９と内側エスカチオン７とを扉１に対して、その屋内側および屋外側より互いに当接状態へと作業することで、外側エスカチオン９の挿着杆７７が、その先端係合部７９の外周面に形成される溝８１と、内側エスカチオン７内面に設けられる筒状凹部９３内の凸部９７とで係合し、これら取り付けが完了することとなり、従来のようなネジなどの別部材を用いることなく、簡便にその取付作業を終えることが可能となる。
【００５７】
また、これら内外エスカチオン７，９の交換などの際に、これらエスカチオン７，９を扉１より取り外すには、操作部９５を回転操作あるいは押動操作することで挿着杆７７に対する凸部９７の係合状態を解除でき、容易に内外エスカチオン７，９を扉１より取り外すことができ、その作業性が向上することとなる。
【００５８】
なお、上述した実施の形態では、外側エスカチオン９の挿着杆７７の先端に係合部７９を設けその外周面に溝８１を形成し、内側エスカチオン７の係合軸９１に筒状凹部９３を設けその内周面に凸部９７を形成して、互いを係合する例について述べたが、図２１に示すように、外側エスカチオン９の挿着杆７７の先端に筒状凹部９３を設け、その内周面に凸部９７を形成し、内側エスカチオン７の係合軸９１を挿着杆７７の筒状凹部９３に嵌入する構成として、その外周面に中途が屈曲した溝８１を形成する構成としてもよい。
【００５９】
また、上述した実施の形態では、係合部７９の外周面に形成される溝８１の形状を、中途で周方向に屈曲し略螺旋状に形成した例を示したが、図２２に示すように、係合部７９の軸線方向に沿った真直部分と、この真直部分に直交して周方向となる直交部分とで略Ｌ字状に形成される溝８１として構成してもよい。
【００６０】
第４の実施の形態
次に、本発明のエスカチオンの構造の第４の実施の形態について説明する。
図２３は、本発明のエスカチオンの構造の第４の実施の形態を示す側断面図、図２４は、同エスカチオンの構造の内側エスカチオンの正面図、図２５は、同エスカチオンの構造の要部を拡大した断面図、図２６は、同要部の概略斜視図である。
なお、以下に説明する実施の形態において、上述した第１，第２，第３の実施の形態と同一または同等部分には同一符号を付して示し、説明を省略する。
【００６１】
この第４の実施の形態では、外側エスカチオン９の内面に、扉１の厚さ内に延出し挿通される固定筒１０５が突設される。固定筒１０５の内部には、軸線方向中途部分に係止環部１０７が設けられる。
【００６２】
係止環部１０７は、後述する連結軸の先端およびこの連結軸に設けられる係合突起のみが貫通可能な貫通穴１０９を備えており、本実施の形態では、図２６に示すように、略Ｃ字状に形成される係止部材１１０にて２個一対で構成し、これら係止部材１１０，１１０を、上下位置にそれぞれ間隙１１１が形成されるように固定筒１０５内に固着し、略φ字状の貫通穴１０９を形成して構成される。またこの係止環部１０７には、固定筒１０５基端側に向く面に、係止溝１１３が形成される。この係止溝１１３は、上下に位置する間隙１１１に対し直交する左右位置に形成される。
【００６３】
内側エスカチオン７の内面には、外側エスカチオン９の固定筒１０５と同軸線上となるガイド筒１１５が突設される。このガイド筒１１５は、基端が内側エスカチオン７の表面７ａに開口し、扉１を略貫通する長さとされる。ガイド筒１１５の先端１１６は、段部を介してやや細径に形成されており、その外径は固定筒１０５の内径と略同等とされ、すなわち、この固定筒１０５に嵌入可能となっている。
【００６４】
ガイド筒１１５には連結軸１１７が挿着される。連結軸１１７は、ガイド筒１１５を貫通する長さに形成され略中途部より先端側が細径とされ、基端側が大径とされて形成されている。連結軸１１７の先端側の外径はガイド筒１１５の先端側の内径と略同等であり、基端側の外径はガイド筒１１５の基端側内径と略同等とされている。そして、この連結軸１１７は、ガイド筒１１５内を軸線方向に摺動自在とされるとともに、軸線を中心に回動自在となっている。
【００６５】
連結軸１１７の先端には、係合突起１１９が配設されている。係合突起１１９は、連結軸１１７の軸線方向に対して略直交する方向に突出し、本実施の形態では、図２６に示すように、ピン状に形成され、半径方向外側に一対となって設けられる。この係合突起１１９の突出長さは、それぞれの先端間の長さを固定筒１０５の内径と略同等とされる。そして、連結軸１１７の先端１１８と各係合突起１１９とは、上記した係止環部１０７の貫通穴１０９を貫通可能とされる。
【００６６】
連結軸１１７の基端は、内側エスカチオン７を貫通して、その端面が表面に表出する。この連結軸１１７基端の端面は、操作部１２１とされており、本実施の形態では、操作部１２１として、真直な凹溝より構成される。
【００６７】
また、連結軸１１７の中途部における大径部と細径部との間である段部１２３と、ガイド筒１１５の段部１２５との間には、付勢手段１２７が介設されている。この付勢手段１２７は、圧縮コイルバネなどよりなり、連結軸１１７をガイド筒１１５の基端方向に常に付勢している。
【００６８】
従って  上記のように構成されたエスカチオンの構造の扉への組付手順では、予め扉の所定の位置に穿設される把手部材用の取付穴、内外エスカチオンの支持脚用の下部挿通穴、および固定筒，ガイド筒が挿通する上部挿通穴に対応させて、扉の屋内側に内側エスカチオン７を配置し、また、扉の屋外側に外側エスカチオン９を配置して、すなわち、把手部材用の取付穴には各貫通穴を位置させ、下部挿通穴には各支持脚１７，３１を、上部挿通穴には固定筒１０５，ガイド筒１１５を位置させて、互いを扉１に対して挟むように取り付ける。
【００６９】
扉１に挿通されるガイド筒１１５は、図２７に示すように、その細径な先端１１６が屋外側扉面１ａに位置する外側エスカチオン９内面の固定筒１０５に嵌入する。なお、嵌入時における連結軸１１７基端の操作部１２１は、付勢手段１２７の付勢力により内側エスカチオン７の表面７ａより突出している。
【００７０】
固定筒１０５にガイド筒１１５の先端１１６が嵌入された状態では、内外各エスカチオン７，９は、扉面１ａ，１ｂに対して当接状態となる。
【００７１】
次に、内側エスカチオン７の表面７ａより突出している連結軸１１７の基端である操作部１２１を、ドライバーなどの工具等を用い、図２８に示すように、付勢部材１２７の付勢力に抗して軸線に沿って外側エスカチオン９の方向に押圧する。押圧されガイド筒１１５内を摺動する連結軸１１７は、その先端１１８と係合突起１１９とが係止環部１０７の貫通穴１０９を貫通する。
【００７２】
次に、ドライバーなどの工具にて、連結軸１１７を押し込んだ状態で図２９に示すように操作部１２１を介し９０°回転させる。その後工具を操作部１２１から離すことで連結軸１１７は付勢部材１２７の付勢力により軸線に沿って内側エスカチオン７方向に摺動し、これにより連結軸先端１１８の係合突起１１９が係止環部１０７の係止溝１１３に嵌まり、図２５に示すように、係止環部１０７と係合突起１１９が係合し、軸線方向の移動が規制される。そして、連結軸１１７を介して内側エスカチオン７と外側エスカチオン９とは互いに離脱不能となり、これら内外エスカチオン７，９が扉１に取り付けられることになる。
【００７３】
また、扉１の内部においては、内外各エスカチオン７，９の支持脚１７，３１の先端同士が近接あるいは当接する。その後レバーハンドルなどの把手部材３を両エスカチオン７，９の各表面７ａ，９ａ側から取り付けることで、この把手部材３の軸部５に形成される大径段部５ａが各エスカチオン７，９の表面７ａ，９ａに当接することとなり、両エスカチオン７，９の下半部が大径段部５ａにて挟持されることとなり、内外各エスカチオン７，９の取り付けが完了する。
【００７４】
なお、連結軸１１７の基端である操作部１２１は、連結軸先端１１８の係合突起１１９が係止環部１０７に係合した状態で、内側エスカチオン７の表面７ａより突出せず、この表面７ａと略面一となる（図２３，２５参照）。
【００７５】
次に、これら内外エスカチオン７，９を扉１から取り外すには、まず、把手部材３を扉１から取り外し、挟持状態を解除する。次に、内側エスカチオン７の操作部１２１に対し、マイナスドライバーなどの工具等を用い、付勢部材１２７の付勢力に抗して軸線に沿って外側エスカチオン９の方向に押圧し、連結軸１１７を摺動させて係合突起１１９と係止環部１０７との係合状態を解く。次に、ドライバーなどの工具にて操作部１２１を９０°回動操作させる。これにより、係合突起１１９は回動し、係止環部１０７の貫通穴１０９を貫通可能となる。そして、工具に対する押圧力を解除することで、付勢部材１２７の付勢力が働き、連結軸１１７が軸線方向に摺動し、係合突起１１９および連結軸先端１１８が貫通穴１０９を通過することで、これら内外エスカチオン７，９の係合状態が解かれ、内外両エスカチオン７，９は、扉１から取り外されることとなる。
【００７６】
このように構成されたエスカチオンの構造によれば、外側エスカチオン９と内側エスカチオン７とを扉１に対して、その屋内側および屋外側より互いに当接状態へと作業し、そして、操作部１２１を介して連結軸１１７を軸線方向に押圧し回動させることで、内側エスカチオン７側の連結軸先端１１８の係合突起１１９と、外側エスカチオン９側の係止環部１０７とが係合し、これら取り付けが完了することとなり、従来のようなネジなどの別部材を用いることなく、簡便にその取付作業を終えることが可能となる。
【００７７】
また、これら内外エスカチオン７，９の交換などの際に、これらエスカチオン７，９を扉１より取り外すには、操作部１２１を押圧して回転操作することで係合突起１１９と係止環部１０７との係合状態を解除でき、容易に内外エスカチオン７，９を扉１より取り外すことができ、その作業性が向上することとなる。
【００７８】
なお、上述した実施の形態では、連結軸先端１１８の係合突起１１９を一対で構成し、係止環部１０７を一対の係止部材１１０にて構成する例について説明したが、図３０に示すように、連結軸先端１１８の係合突起１１９を、軸線に対して一方向に直交させて形成し、連結軸１１７とともに略Ｌ字状に形成し、また、係止環部１０７を環の一部が切欠かれた略Ｃ字状に形成して、貫通穴１０９の形状を略Ｐ字状とし構成した構造としてもよい。
【００７９】
【発明の効果】
以上説明したように本発明の請求項１記載のエスカチオンの構造によれば、外側エスカチオンと内側エスカチオンとを扉に対して、その屋内側および屋外側より互いに当接状態へと作業することで、外側エスカチオンの挿着杆が、その先端係合部の外周面に形成される溝と、内側エスカチオン内面に設けられる筒状凹部内の凸部とで係合し、これら取り付けが完了することとなり、従来のようなネジなどの別部材を用いることなく、簡便にその取付作業を終えることが可能となる。また、これら内外エスカチオンの交換などの際に、これらエスカチオンを扉より取り外すには、操作部を回転操作することで挿着杆に対する凸部の係合状態を解除でき、容易に内外エスカチオンを扉より取り外すことができ、その作業性が向上することとなる。
【図面の簡単な説明】
【図１】  本発明によるエスカチオンの構造の第１の実施の形態を示す側断面図である。
【図２】  同エスカチオンの構造の内側エスカチオンの正面図である。
【図３】  同エスカチオンの構造の要部を拡大した断面図である。
【図４】  同エスカチオンの構造の扉への取付手順を示す説明図である。
【図５】  同エスカチオンの構造の扉への取付手順を示す説明図である。
【図６】  他の実施の形態のエスカチオンの構造を示す要部拡大断面図である。
【図７】  本発明のエスカチオンの構造の第２の実施の形態を示す側断面図である。
【図８】  同エスカチオンの構造の内側エスカチオンの正面図である。
【図９】  同エスカチオンの構造の要部を拡大した断面図である。
【図１０】  同エスカチオンの構造の要部を拡大した斜視図である。
【図１１】  同エスカチオンの構造の扉への取付手順を示す説明図である。
【図１２】  同エスカチオンの構造の扉への取付手順を示す説明図である。
【図１３】  他の実施の形態のエスカチオンの構造を示す要部拡大断面図である。
【図１４】  他の実施の形態のエスカチオンの構造を示す要部拡大斜視図である。
【図１５】  他の実施の形態のエスカチオンの構造を示す要部拡大断面図である。
【図１６】  本発明のエスカチオンの構造の第３の実施の形態を示す側断面図である。
【図１７】  同エスカチオンの構造の内側エスカチオンの正面図である。
【図１８】  同エスカチオンの構造の要部を拡大した断面図である。
【図１９】  同エスカチオンの構造の要部を拡大した斜視図である。
【図２０】  同エスカチオンの構造の扉への取付手順を示す説明図である。
【図２１】  他の実施の形態のエスカチオンの構造を示す要部拡大断面図である。
【図２２】  他の実施の形態のエスカチオンの構造を示す要部拡大断面図である。
【図２３】  本発明のエスカチオンの構造の第４の実施の形態を示す側断面図である。
【図２４】  同エスカチオンの構造の内側エスカチオンの正面図である。
【図２５】  同エスカチオンの構造の要部を拡大した断面図である。
【図２６】  同要部の概略斜視図である。
【図２７】  同エスカチオンの構造の扉への取付手順を示す説明図である。
【図２８】  同エスカチオンの構造の扉への取付手順を示す説明図である。
【図２９】  同エスカチオンの構造の扉への取付手順を示す説明図である。
【図３０】  他の実施の形態のエスカチオンの構造を示す要部拡大斜視図である。
【符号の説明】
１…扉
７…内側エスカチオン
７ａ…表面
９…外側エスカチオン
１５，５１，７７…挿着杆
２５…操作穴
３７…揺動片
３９，１２７…付勢手段
４３…係合穴
４５…制御片
５３…鉤状爪部
６９…操作片
７１…係合爪
８１…溝
９１…係合軸
９３…筒状凹部
９５，１２１…操作部
９７…凸部
１０５…固定筒
１０７…係止環部
１０９…貫通穴
１１５…ガイド筒
１１７…連結軸
１１８…先端
１１９…係合突起
【図１】
0004156249.tif 000002
【図２】
0004156249.tif 000003
【図３】
0004156249.tif 000004
【図４】
0004156249.tif 000005
【図５】
0004156249.tif 000006
【図６】
0004156249.tif 000007
【図７】
0004156249.tif 000008
【図８】
0004156249.tif 000009
【図９】
0004156249.tif 000010
【図１０】
0004156249.tif 000011
【図１１】
0004156249.tif 000012
【図１２】
0004156249.tif 000013
【図１３】
0004156249.tif 000014
【図１４】
0004156249.tif 000015
【図１５】
0004156249.tif 000016
【図１６】
0004156249.tif 000017
【図１７】
0004156249.tif 000018
【図１８】
0004156249.tif 000019
【図１９】
0004156249.tif 000020
【図２０】
0004156249.tif 000021
【図２１】
0004156249.tif 000022
【図２２】
0004156249.tif 000023
【図２３】
0004156249.tif 000024
【図２４】
0004156249.tif 000025
【図２５】
0004156249.tif 000026
【図２６】
0004156249.tif 000027
【図２７】
0004156249.tif 000028
【図２８】
0004156249.tif 000029
【図２９】
0004156249.tif 000030
【図３０】
0004156249.tif 000031